(57)【要約】【課題】ＣＳＳ暗号化方式によって暗号化されたコンテンツを再生可能な状態で記録用の光記録媒体に記録する。【解決手段】ＣＳＳ暗号化方式によって暗号化されたコンテンツ及びその鍵情報を光ディスクに記録するのに先立って、ＣＳＳ暗号化方式によって暗号化されたコンテンツの鍵情報が記録可能であることを示す「鍵情報領域への記録許可情報」が光ディスクに記録されているか否かを判断し（ステップＳ４０３）、「鍵情報領域への記録許可情報」が光ディスクに記録されている場合に、ＣＳＳ暗号化方式によって暗号化されたコンテンツ及びその鍵情報を光ディスクに記録する（ステップＳ４０５、Ｓ４０９）。【選択図】図１１
2008065874.tif 000002
【特許請求の範囲】
【請求項１】
スパイラル状又は同心円状のトラックが形成され、管理情報領域及びデータ領域を含む記録領域を有する記録用の光記録媒体において、
前記管理情報領域にＣＳＳ暗号化方式によって暗号化されたコンテンツの鍵情報が記録可能であることを特徴とする光記録媒体。
【請求項２】
前記鍵情報が記録可能であることを示す判別情報があらかじめ記録されていることを特徴とする請求項１に記載の光記録媒体。
【請求項３】
前記トラックは蛇行し、
前記判別情報は、前記トラックの蛇行形状の情報に含まれていることを特徴とする請求項２に記載の光記録媒体。
【請求項４】
ＤＶＤ＋ＲあるいはＤＶＤ＋ＲＷの規格に準拠し、前記トラックの蛇行形状の情報は物理フォーマット情報を含み、
前記判別情報は、前記物理フォーマット情報におけるバイト１６に格納されていることを特徴とする請求項３に記載の光記録媒体。
【請求項５】
ＤＶＤ＋ＲあるいはＤＶＤ＋ＲＷの規格に準拠し、前記トラックの蛇行形状の情報は物理フォーマット情報を含み、
前記判別情報は、前記物理フォーマット情報におけるバイト１７に格納されていることを特徴とする請求項３に記載の光記録媒体。
【請求項６】
請求項１〜５のいずれか一項に記載の光記録媒体を対象媒体とする光記録装置であって、
ＣＳＳ暗号化方式によって暗号化されたコンテンツの鍵情報が記録可能であることを示す判別情報が光記録媒体に記録されているか否かを判断する判断手段と；
前記判断の結果、前記判別情報が前記光記録媒体に記録されている場合に、ＣＳＳ暗号化方式によって暗号化されたコンテンツ、その鍵情報を前記光記録媒体のデータ領域、管理情報領域にそれぞれ記録する記録手段と；を備える光記録装置。
【請求項７】
請求項１〜５のいずれか一項に記載の光記録媒体を対象媒体とする光記録システムであって、
請求項６に記載の光記録装置と；
前記光記録装置を介して、ＣＳＳ暗号化方式によって暗号化されたコンテンツ、その鍵情報を光記録媒体のデータ領域、管理情報領域にそれぞれ記録する処理装置と；を備える光記録システム。
【請求項８】
光記録媒体がＣＳＳ暗号化方式によって暗号化されたコンテンツの記録に対応しているか否かを判別する判別方法であって、
前記コンテンツの鍵情報が記録可能であることを示す判別情報が光記録媒体に格納されているか否かをチェックする工程と；
前記チェックの結果、前記判別情報が前記光記録媒体に格納されている場合に、前記光記録媒体がＣＳＳ暗号化方式によって暗号化されたコンテンツの記録に対応していると判別する工程と；を含む判別方法。
【発明の詳細な説明】
【技術分野】
【０００１】
本発明は、光記録媒体、光記録装置、光記録システム及び判別方法に係り、更に詳しくは、ＣＳＳ暗号化方式によって暗号化されたコンテンツの記録に適した記録用の光記録媒体、前記光記録媒体を対象媒体とする光記録装置、該光記録装置を備える光記録システム、及び光記録媒体がＣＳＳ暗号化方式によって暗号化されたコンテンツの記録に対応しているか否かを判別する判別方法に関する。
【背景技術】
【０００２】
映画などのビデオコンテンツは、ＣＳＳ（Content Scramble System）と呼ばれる暗号化システムにより暗号化され、その暗号を解くための鍵情報とともにＤＶＤ−ＲＯＭ（digital versatile disc−ＲＯＭ）に記録されて市販されている。そして、ビデオコンテンツを再生するための再生装置は、ＤＶＤ−ＲＯＭに記録されている前記鍵情報に基づいてビデオコンテンツのスクランブルを解除している（例えば、特許文献１参照）。このようにして、ビデオコンテンツの著作権が保護されている。なお、前記鍵情報は、ＤＶＤ−ＲＯＭの内周側に設けられた特定領域に格納されている。
【０００３】
現在、市販されている記録用のＤＶＤには、前記鍵情報は記録できないようになっている。例えば、ＤＶＤ−Ｒ（ＤＶＤ−recordable）やＤＶＤ−ＲＷ（ＤＶＤ−rewritable）などのＤＶＤ−系の光記録媒体では、上記ＤＶＤ−ＲＯＭの特定領域に対応する領域はエンボス加工されている。また、ＤＶＤ＋Ｒ（ＤＶＤ＋recordable）やＤＶＤ＋ＲＷ（ＤＶＤ＋rewritable）などのＤＶＤ＋系の光ディスクでは、上記ＤＶＤ−ＲＯＭの特定領域に対応する領域は、記録装置及び記録システムでは書込みができない領域である（例えば、非特許文献１及び非特許文献２参照）。
【０００４】
【特許文献１】特開平１１−１７６０９０号公報
【非特許文献１】Ｓｔａｎｄａｒｄ  ＥＣＭＡ−３４９「Ｄａｔａ  Ｉｎｔｅｒｃｈａｎｇｅ  ｏｎ  １２０ｍｍ  ａｎｄ  ８０ｍｍ  Ｏｐｔｉｃａｌ  Ｄｉｓｋ  ｕｓｉｎｇ  ＋Ｒ  Ｆｏｒｍａｔ  −  Ｃａｐａｃｉｔｙ：４．７  ａｎｄ  １．４６  Ｇｂｙｔｅｓ  ｐｅｒ  Ｓｉｄｅ」１ｓｔ  Ｅｄｉｔｉｏｎ−Ｄｅｃｅｍｂｅｒ  ２００３
【非特許文献２】Ｓｔａｎｄａｒｄ  ＥＣＭＡ−３３７「Ｄａｔａ  Ｉｎｔｅｒｃｈａｎｇｅ  ｏｎ  １２０ｍｍ  ａｎｄ  ８０ｍｍ  Ｏｐｔｉｃａｌ  Ｄｉｓｋ  ｕｓｉｎｇ  ＋ＲＷ  Ｆｏｒｍａｔ  −  Ｃａｐａｃｉｔｙ：４．７  ａｎｄ  １．４６  Ｇｂｙｔｅｓ  ｐｅｒ  Ｓｉｄｅ」２ｎｄ  Ｅｄｉｔｉｏｎ−Ｄｅｃｅｍｂｅｒ  ２００３
【発明の開示】
【発明が解決しようとする課題】
【０００５】
ところで、近年、インターネットの普及に伴って、ビデオコンテンツの購入形態の一つとして、インターネットを介してビデオコンテンツをダウンロードすることが考えられた。しかしながら、前述したように、記録用のＤＶＤであっても所定の領域に鍵情報を記録することができないため、ダウンロードした暗号化ビデオコンテンツを再生可能な状態でＤＶＤに記録することはできなかった。
【０００６】
本発明は、かかる事情の下になされたもので、その第１の目的は、ＣＳＳ暗号化方式によって暗号化されたコンテンツを再生可能な状態で記録することができる記録用の光記録媒体を提供することにある。
【０００７】
また、本発明の第２の目的は、ＣＳＳ暗号化方式によって暗号化されたコンテンツを再生可能な状態で本発明の光記録媒体に記録するのに好適な光記録装置及び光記録システムを提供することにある。
【０００８】
また、本発明の第３の目的は、光記録媒体がＣＳＳ暗号化方式によって暗号化されたコンテンツの記録に対応しているか否かを容易に判別することができる判別方法を提供することにある。
【課題を解決するための手段】
【０００９】
本発明は、第１の観点からすると、スパイラル状又は同心円状のトラックが形成され、管理情報領域及びデータ領域を含む記録領域を有する記録用の光記録媒体において、前記管理情報領域にＣＳＳ暗号化方式によって暗号化されたコンテンツの鍵情報が記録可能であることを特徴とする光記録媒体である。
【００１０】
これによれば、管理情報領域にＣＳＳ暗号化方式によって暗号化されたコンテンツの鍵情報を記録することができるため、結果として、ＣＳＳ暗号化方式によって暗号化されたコンテンツを再生可能な状態で記録することが可能となる。
【００１１】
本発明は、第２の観点からすると、本発明の光記録媒体を対象媒体とする光記録装置であって、ＣＳＳ暗号化方式によって暗号化されたコンテンツの鍵情報が記録可能であることを示す判別情報が光記録媒体に記録されているか否かを判断する判断手段と；前記判断の結果、前記判別情報が前記光記録媒体に記録されている場合に、ＣＳＳ暗号化方式によって暗号化されたコンテンツ、その鍵情報を前記光記録媒体のデータ領域、管理情報領域にそれぞれ記録する記録手段と；を備える光記録装置である。
【００１２】
これによれば、判断手段によって、ＣＳＳ暗号化方式によって暗号化されたコンテンツの鍵情報が記録可能であることを示す判別情報が光記録媒体に記録されているか否かが判断され、その結果、判別情報が光記録媒体に記録されている場合に、記録手段によって、ＣＳＳ暗号化方式によって暗号化されたコンテンツが光記録媒体のデータ領域に記録され、鍵情報が光記録媒体の管理情報領域に記録される。従って、ＣＳＳ暗号化方式によって暗号化されたコンテンツ及びその鍵情報を本発明の光記録媒体に記録することが可能となる。その結果、ＣＳＳ暗号化方式によって暗号化されたコンテンツを再生可能な状態で記録用の本発明の光記録媒体に記録することが可能となる。
【００１３】
本発明は、第３の観点からすると、本発明の光記録媒体を対象媒体とする光記録システムであって、本発明の光記録装置と；前記光記録装置を介して、ＣＳＳ暗号化方式によって暗号化されたコンテンツ、その鍵情報を光記録媒体のデータ領域、管理情報領域にそれぞれに記録する処理装置と；を備える光記録システムである。
【００１４】
これによれば、本発明の光記録装置を備えているため、ＣＳＳ暗号化方式によって暗号化されたコンテンツを光記録媒体のデータ領域に記録し、鍵情報を光記録媒体の管理情報領域に記録することが可能となる。その結果、ＣＳＳ暗号化方式によって暗号化されたコンテンツを再生可能な状態で記録用の本発明の光記録媒体に記録することが可能となる。
【００１５】
本発明は、第４の観点からすると、光記録媒体がＣＳＳ暗号化方式によって暗号化されたコンテンツの記録に対応しているか否かを判別する判別方法であって、前記コンテンツの鍵情報が記録可能であることを示す判別情報が光記録媒体に格納されているか否かをチェックする工程と；前記チェックの結果、前記判別情報が前記光記録媒体に格納されている場合に、前記光記録媒体がＣＳＳ暗号化方式によって暗号化されたコンテンツの記録に対応していると判別する工程と；を含む判別方法である。
【００１６】
これによれば、判別情報が光記録媒体に格納されているか否かがチェックされ、その結果、判別情報が光記録媒体に格納されている場合に、光記録媒体がＣＳＳ暗号化方式によって暗号化されたコンテンツの記録に対応していると判別される。従って、光記録媒体がＣＳＳ暗号化方式によって暗号化されたコンテンツの記録に対応しているか否かを容易に判別することが可能となる。
【発明を実施するための最良の形態】
【００１７】
以下、本発明の一実施形態を図１〜図１１に基づいて説明する。図１には、本発明の一実施形態に係る光記録媒体としての光ディスク１５の断面形状が模式図的に示されている。
【００１８】
この図１に示される光ディスク１５の記録層Ｍにはスパイラル状の案内溝としてのグルーブＧが形成されている。一般に光ディスクでは、レーザ光の入射方向からみたときに、凸形状となる部分をグルーブＧ、凹形状となる部分をランドＬと呼んでいる。ここでは、グルーブＧが情報記録用のトラックであり、グルーブＧにデータが記録される。
【００１９】
前記トラックは、一例として図２に示されるように、内周側から外周側に向かってリードイン領域（Ｌｅａｄ−ｉｎ  Ｚｏｎｅ）、データ領域（Ｄａｔａ  Ｚｏｎｅ）、及びリードアウト領域（Ｌｅａｄ−ｏｕｔ  Ｚｏｎｅ）を含む複数の領域に分割されている。リードイン領域は、管理情報などが格納される管理情報領域である。また、データ領域は、ユーザデータが格納される領域である。リードアウト領域は、データの終了位置を示すための情報が格納される領域である。なお、図２では便宜上、トラックを直線状で示し、紙面左側を光ディスク１５の内周側、紙面右側を光ディスク１５の外周側としている。
【００２０】
また、トラックは、一例として図３に示されるように、トラック中心に対して蛇行（ウォブリング）している。なお、トラックピッチは０．７４μｍである。
【００２１】
トラックの蛇行形状は、ＡＤＩＰユニットと搬送波によって決定される。ＡＤＩＰユニットには種々の情報が含まれている。また、搬送波は基準クロック信号を生成するのに用いられる。本実施形態では、１つのＡＤＩＰユニットと一連の搬送波部とから構成される基本単位を情報フレームと呼ぶこととする。１つの情報フレームの大きさは、一例として図４に示されるように、搬送波の１周期（ウォブル周期ともいう）分の大きさを１ウォブルとすると、９３ウォブル（ウォブル番号０〜９２）である。そして、ウォブル番号０〜７がＡＤＩＰユニット、ウォブル番号８〜９２が搬送波部である。
【００２２】
ＡＤＩＰユニットは、ウォブル番号０〜３の領域（以下、便宜上「同期情報部」という）とウォブル番号４〜７の領域（以下、便宜上「ＡＤＩＰ情報部」という）とから構成されている。上記各情報部はそれぞれ位相変調（ＰＳＫ：Phase Shift Keying）されている。
【００２３】
ＡＤＩＰ情報部は、４ウォブルが１ビットデータを表している。ビットデータが「０」のときは、図５（Ａ）に示されるように、前方の２ウォブルを搬送波部と同位相とし、後方の２ウォブルを搬送波部と逆位相とする。一方、ビットデータが「１」のときは、図５（Ｂ）に示されるように、前方の２ウォブルを搬送波部と逆位相とし、後方の２ウォブルを搬送波部と同位相とする。
【００２４】
同期情報部は、次の情報フレームにおけるＡＤＩＰ情報部がデータの先頭ビットのときには、図６（Ａ）に示されるように、ワード同期（word sync）信号、すなわち４ウォブル全てを搬送波部と逆位相とする。また、ＡＤＩＰ情報部にビットデータが含まれているときには、図６（Ｂ）に示されるように、ビット同期（bit sync）信号、すなわち先頭の１ウォブルを搬送波部と逆位相とし、残りの３ウォブルを搬送波部と同位相とする。
【００２５】
そして、図７に示されるように、５２個の情報フレームによって１つのＡＤＩＰワードが得られる。
【００２６】
リードイン領域におけるＡＤＩＰユニットは、物理フォーマット情報を含んでいる。この物理フォーマット情報は、ＤＶＤ＋Ｒ規格（ＥＣＭＡ−３４９参照）あるいはＤＶＤ＋ＲＷ規格（ＥＣＭＡ−３３７参照）における物理フォーマット情報のバイト１６のみを変更したものである。すなわち、図８に示されるように、バイト１６を「鍵情報領域への記録許可情報」として、１６進数表示で「０１ｈ」が格納されている。なお、ＤＶＤ＋Ｒ規格あるいはＤＶＤ＋ＲＷ規格（以下では、総称して便宜上「ＤＶＤ＋Ｒ／ＲＷ規格」ともいう）では、物理フォーマット情報のバイト１６は、未使用であり、「００ｈ」をセットすることとなっている。また、ここでは、ＤＶＤ＋Ｒ／ＲＷ規格におけるリードイン領域の未使用（Ｒｅｓｅｒｖｅｄ）の領域が鍵情報領域として用いられる。
【００２７】
データ領域におけるＡＤＩＰユニットは、アドレス情報を含んでいる。
【００２８】
以上のように、本実施形態の光ディスク１５は、物理フォーマット情報のバイト１６を除いて、ＤＶＤ＋Ｒ／ＲＷの規格に準拠した記録用の光ディスクである。
【００２９】
以上説明したように、本実施形態に係る光ディスク１５によると、トラックの蛇行形状を規定する物理フォーマット情報に「鍵情報領域への記録許可情報」が格納されているため、ＣＳＳ暗号化方式によって暗号化されたコンテンツの鍵情報が記録可能となる。その結果、ＣＳＳ暗号化方式によって暗号化されたコンテンツを再生可能な状態で記録することが可能となる。
【００３０】
また、上記実施形態では、「鍵情報領域への記録許可情報」が物理フォーマット情報のバイト１６に格納される場合について説明したが、これに限らず、例えば、「鍵情報領域への記録許可情報」が物理フォーマット情報のバイト１７に格納されても良い。ＤＶＤ＋Ｒ／ＲＷの規格では、物理フォーマット情報のバイト１７は、「Ｄｉｓｋ  Ａｐｐｌｉｃａｔｉｏｎ  Ｃｏｄｅ」が格納される領域である。そこで、この場合には、従来の光ディスク装置とは記録非互換となる。
【００３１】
また、上記実施形態では、光ディスク１５が１つの記録層を有する場合について説明したが、これに限定されるものではない。光ディスク１５が複数の記録層を有していても良い。
【００３２】
図９には、本発明の一実施形態に係る光記録システムとしてのパーソナルコンピュータ（以下では、便宜上「パソコン」ともいう）１０の概略構成が示されている。
【００３３】
この図９に示されるパソコン１０は、主制御装置９２、光記録装置としての光ディスク装置２０、ハードディスク装置（ＨＤＤ）９４、入力装置９５、表示装置９６、ドライブインターフェース９７及びネットワーク制御装置９８などを備えている。
【００３４】
前記主制御装置９２は、ＣＰＵ９２ａ、ＲＯＭ９２ｂ及びＲＡＭ９２ｃなどから構成されている。ＣＰＵ９２ａは、ＲＯＭ９２ｂ及びＲＡＭ９２ｃに格納されているプログラムに基づいてパソコン１０の全体を制御するとともに、後述する記録処理を行う。
【００３５】
前記ＨＤＤ９４は、ハードディスク９４ａと、該ハードディスク９４ａを駆動するための駆動装置９４ｂなどから構成されている。そして、ハードディスク９４ａには、主制御装置９２のＣＰＵ９２ａにて解読可能なコードで記述された各種プログラムが記録されている。このハードディスク９４ａに記録されているプログラムは、必要に応じて主制御装置９２のＲＡＭ９２ｃにロードされる。
【００３６】
前記表示装置９６は、例えばＣＲＴ、液晶ディスプレイ（ＬＣＤ）及びプラズマ・ディスプレイ・パネル（ＰＤＰ）などを用いた表示部（図示省略）を備え、主制御装置９２から指示された各種情報を表示する。
【００３７】
前記入力装置９５は、例えばキーボード、マウス、タブレット、ライトペン及びタッチパネルなどのうち少なくとも１つの入力媒体（図示省略）を備え、ユーザから入力された各種情報を主制御装置９２に通知する。なお、入力媒体からの情報はワイヤレス方式で入力されても良い。また、表示装置９６と入力装置９５とが一体化されたものとして、例えばタッチパネル付きＬＣＤなどがある。
【００３８】
前記ドライブインターフェース９７は、主制御装置９２と、光ディスク装置２０及びＨＤＤ９４との双方向のインターフェースであり、ＡＴＡＰＩ（AT Attachment Packet Interface）、ＳＣＳＩ（Small Computer System Interface）及びＵＳＢ（Universal Serial Bus）などの標準インターフェースに準拠している。
【００３９】
前記ネットワーク制御装置９８は、公衆回線を利用した双方向の通信を制御する。このネットワーク制御装置９８を介してインターネット接続が可能となる。
【００４０】
前記光ディスク装置２０は、主制御装置９２の指示に基づいて、セットされている光ディスクに対して情報の記録を行なう。
【００４１】
この光ディスク装置２０は、一例として図１０に示されるように、セットされている光ディスクを回転駆動するためのスピンドルモータ２２、光ピックアップ装置２３、該光ピックアップ装置２３を光ディスクの半径方向に駆動するためのシークモータ２１、レーザ制御回路２４、エンコーダ２５、駆動制御回路２６、再生信号処理回路２８、バッファＲＡＭ３４、バッファマネージャ３７、インターフェース３８、フラッシュメモリ３９、ＣＰＵ４０及びＲＡＭ４１などを備えている。なお、図１０における矢印は、代表的な信号や情報の流れを示すものであり、各ブロックの接続関係の全てを表すものではない。また、光ディスク装置２０は、前記光ディスク１５に対応しているものとする。
【００４２】
前記光ピックアップ装置２３は、光ディスク１５の記録層にレーザ光を集光するとともに、記録層からの反射光を受光するための装置である。この光ピックアップ装置２３は、光ディスク１５に対応した波長のレーザ光を出射する半導体レーザ、該半導体レーザから出射された光を光ディスク１５の記録層に集光する対物レンズ、記録層で反射された戻り光を受光する受光器、及び前記対物レンズを駆動するための駆動系（フォーカシングアクチュエータ及びトラッキングアクチュエータ）（いずれも図示省略）などを含んで構成されている。前記受光器は複数の受光素子（又は受光領域）を有し、各受光素子（又は受光領域）での受光量に応じた信号（光電変換信号）を再生信号処理回路２８に出力する。
【００４３】
前記再生信号処理回路２８は、前記受光器の出力信号（複数の光電変換信号）に基づいて、従来と同様にして、サーボ信号（フォーカスエラー信号やトラックエラー信号など）、ウォブル信号、及びＲＦ信号などを生成する（例えば、特開平１０−６９６４６号公報参照）。ここで得られたサーボ信号は前記駆動制御回路２６及びＣＰＵ４０などに出力される。また、再生信号処理回路２８は、前記ウォブル信号から同期情報、物理フォーマット情報、及びアドレス情報などを取得する。ここで得られた同期情報はエンコーダ２５や駆動制御回路２６などに出力され、物理フォーマット情報及びアドレス情報はＣＰＵ４０に出力される。また、再生信号処理回路２８は、前記ＲＦ信号に対して復号処理及び誤り検出処理などを行い、誤りが検出されたときには誤り訂正処理を行った後、再生データとして前記バッファマネージャ３７を介して前記バッファＲＡＭ３４に格納する。
【００４４】
前記駆動制御回路２６は、再生信号処理回路２８からのトラックエラー信号に基づいて、トラッキング方向に関する対物レンズの位置ずれを補正するための前記トラッキングアクチュエータの駆動信号を生成する。また、駆動制御回路２６は、再生信号処理回路２８からのフォーカスエラー信号に基づいて、対物レンズのフォーカスずれを補正するための前記フォーカシングアクチュエータの駆動信号を生成する。ここで生成された各アクチュエータの駆動信号は光ピックアップ装置２３に出力される。これにより、トラッキング制御及びフォーカス制御が行われる。さらに、駆動制御回路２６は、ＣＰＵ４０の指示に基づいて、シークモータ２１を駆動するための駆動信号、及びスピンドルモータ２２を駆動するための駆動信号を生成する。各モータの駆動信号は、それぞれシークモータ２１及びスピンドルモータ２２に出力される。
【００４５】
前記バッファＲＡＭ３４には、光ディスク１５に記録するデータ（記録用データ）、及び光ディスク１５から再生したデータ（再生データ）などが一時的に格納される。このバッファＲＡＭ３４へのデータの入出力は、前記バッファマネージャ３７によって管理されている。
【００４６】
前記エンコーダ２５は、ＣＰＵ４０の指示に基づいて、バッファＲＡＭ３４に蓄積されている記録用データをバッファマネージャ３７を介して取り出し、データの変調及びエラー訂正コードの付加などを行ない、光ディスク１５への書き込み信号を生成する。ここで生成された書き込み信号はレーザ制御回路２４に出力される。
【００４７】
前記レーザ制御回路２４は、光ピックアップ装置２３の半導体レーザの発光パワーを制御する。例えば記録の際には、前記書き込み信号、記録条件及び半導体レーザの発光特性などに基づいて、半導体レーザの駆動信号がレーザ制御回路２４にて生成される。
【００４８】
前記インターフェース３８は、前記ドライブインターフェース９７を介した主制御装置９２との双方向の通信インターフェースであり、ドライブインターフェース９７と同じ標準インターフェースに準拠している。
【００４９】
前記フラッシュメモリ３９には、ＣＰＵ４０にて解読可能なコードで記述された各種プログラム、記録パワーや記録ストラテジ情報を含む記録条件、及び半導体レーザの発光特性などが格納されている。
【００５０】
前記ＣＰＵ４０は、フラッシュメモリ３９に格納されている上記プログラムに従って光ディスク装置２０の全体を制御するとともに、制御に必要なデータなどをＲＡＭ４１及びバッファＲＡＭ３４に保存する。
【００５１】
《ビデオコンテンツの記録処理》
次に、上記のように構成されたパソコン１０におけるＣＳＳ暗号化方式によって暗号化されたビデオコンテンツ（以下では、便宜上「ＣＳＳ暗号化コンテンツ」と略述する）の記録処理について説明する。なお、ここでは、ＣＳＳ暗号化コンテンツ及びその鍵情報は、該ＣＳＳ暗号化コンテンツの提供者のウエブサイトからインターネットを介してダウンロードされ、一時的にハードディスク９４ａに格納されているものとする。また、光ディスク装置２０には、光ディスク１５がセットされているものとする。
【００５２】
（１）主制御装置９２のＣＰＵ９２ａは、入力装置９５を介して、ユーザからのＣＳＳ暗号化コンテンツの光ディスクへの書込み要求を受け取ると、光ディスク装置２０に対して、ハードディスク９４ａに格納されているＣＳＳ暗号化コンテンツ及びその鍵情報の書込みを指示する。
【００５３】
（ａ）光ディスク装置２０のＣＰＵ４０は、主制御装置９２からＣＳＳ暗号化コンテンツ及びその鍵情報の書込み指示を受け取ると、フラッシュメモリ３９に格納されている図１１のフローチャートに対応するプログラムの先頭アドレスがプログラムカウンタにセットされ、処理（以下、便宜上「書込み処理」という）をスタートする。なお、図１１のフローチャートは、ＣＰＵ４０によって実行される一連の処理アルゴリズムに対応している。
【００５４】
（ｂ）最初のステップＳ４０１では、セットされている光ディスクの物理フォーマット情報のバイト１６を抽出する。なお、物理フォーマット情報は、光ディスクがセットされたときに読み出され、ＲＡＭ４１に格納されている。
【００５５】
（ｃ）次のステップＳ４０３では、抽出された物理フォーマット情報のバイト１６が「０１ｈ」であるか否かを判断する。すなわち、セットされている光ディスクが、ＣＳＳ暗号化コンテンツの記録に対応しているか否かが判別される。ここでは、セットされている光ディスクは光ディスク１５であるため、抽出された物理フォーマット情報のバイト１６は「０１ｈ」であり、ここでの判断は肯定され、ステップＳ４０５に移行する。すなわち、セットされている光ディスクはＣＳＳ暗号化コンテンツの記録に対応していると判別される。
【００５６】
（ｄ）このステップＳ４０５では、データ領域へのＣＳＳ暗号化コンテンツの書込みを許可する。これにより、エンコーダ２５、レーザ制御回路２４及び光ピックアップ装置２３を介して光ディスクのデータ領域へのＣＳＳ暗号化コンテンツの書込みが開始される。
【００５７】
（ｅ）次のステップＳ４０７では、主制御装置９２から指示された書込みデータ量と書込み済のデータ量とを比較して、データ領域へのＣＳＳ暗号化コンテンツの書込みが完了したか否かを判断する。データ領域へのＣＳＳ暗号化コンテンツの書込みが完了していなければ、ここでの判断は否定され、所定時間の経過後に、再度データ領域へのＣＳＳ暗号化コンテンツの書込みが完了したか否かを判断する。一方、データ領域へのＣＳＳ暗号化コンテンツの書込みが完了していれば、ここでの判断は肯定され、ステップＳ４０９に移行する。
【００５８】
（ｆ）このステップＳ４０９では、リードイン領域への鍵情報の書込みを許可する。これにより、エンコーダ２５、レーザ制御回路２４及び光ピックアップ装置２３を介して光ディスクのリードイン領域への鍵情報を含むリードイン情報の書込みが開始される。
【００５９】
（ｇ）次のステップＳ４１１では、ＣＳＳ暗号化コンテンツ及びその鍵情報の書込みが正常に終了したことを主制御装置９２に通知する。そして、書込み処理を終了する。
【００６０】
（ｈ）なお、前記ステップＳ４０３において、抽出された物理フォーマット情報のバイト１６が「０１ｈ」でなければ、ステップＳ４０３での判断は否定され、ステップＳ４２１に移行する。
【００６１】
（ｉ）このステップＳ４２１では、ＣＳＳ暗号化コンテンツ及びその鍵情報の書込みを異常終了することを主制御装置９２に通知する。そして、書込み処理を終了する。
【００６２】
（２）主制御装置９２のＣＰＵ９２ａは、光ディスク装置２０から「正常終了」を受け取ると、ハードディスク９４ａに格納されているＣＳＳ暗号化コンテンツ及びその鍵情報の消去をＨＤＤ９４に指示する。
【００６３】
（３）主制御装置９２のＣＰＵ９２ａは、ＣＳＳ暗号化コンテンツの記録が正常に終了したことを表示装置９６の表示部に表示し、ユーザに通知する。そして、光ディスク装置２０に対して光ディスクの排出を指示し、ＣＳＳ暗号化コンテンツの記録処理を終了する。
【００６４】
（４）また、主制御装置９２のＣＰＵ９２ａは、光ディスク装置２０から「異常終了」を受け取ると、セットされている光ディスクをＣＳＳ暗号化コンテンツの記録が可能な光ディスクに交換するようにメッセージを表示装置９６の表示部に表示し、ユーザに通知する。すなわち、ＣＳＳ暗号化コンテンツの記録が可能な光ディスク以外の光ディスクには、ＣＳＳ暗号化コンテンツ及びその鍵情報の記録は実行されない。
【００６５】
以上の説明から明らかなように、本実施形態に係るパソコン１０では、光ディスク装置２０によって光記録装置が実現され、ＣＰＵ９２ａと該ＣＰＵ９２ａにて実行されるプログラムとによって、処理装置が実現されている。なお、ＣＰＵ９２ａによるプログラムに従う処理によって実現した処理装置の一部をハードウェアによって構成することとしても良いし、あるいは全てをハードウェアによって構成することとしても良い。
【００６６】
そして、光ディスク装置２０では、エンコーダ２５とレーザ制御回路２４と光ピックアップ装置２３とによって記録手段が実現され、ＣＰＵ４０と該ＣＰＵ４０にて実行されるプログラムとによって、判断手段が実現されている。なお、ＣＰＵ４０によるプログラムに従う処理によって実現した判断手段の一部をハードウェアによって構成することとしても良いし、あるいは全てをハードウェアによって構成することとしても良い。
【００６７】
また、上記光ディスク装置２０における書込み処理において、本発明の判別方法が実施されている。
【００６８】
以上説明したように、本実施形態に係る光ディスク装置２０によると、ＣＳＳ暗号化コンテンツ及びその鍵情報を光ディスクに記録するのに先立って、ＣＳＳ暗号化コンテンツの鍵情報が記録可能であることを示す「鍵情報領域への記録許可情報」（判別情報）が光ディスクに記録されているか否かを判断し、その結果、「鍵情報領域への記録許可情報」が光ディスクに記録されている場合に、ＣＳＳ暗号化コンテンツ及びその鍵情報を光ディスクに記録する。従って、ＣＳＳ暗号化コンテンツ及びその鍵情報を本発明に係る光ディスク１５に記録することが可能となる。その結果、ＣＳＳ暗号化コンテンツを再生可能な状態で記録用の本発明に係る光ディスク１５に記録することが可能となる。そこで、例えば、鍵情報とともにダウンロードしたＣＳＳ暗号化コンテンツを再生可能な状態で光ディスク１５に記録することが可能となる。
【００６９】
また、本実施形態に係るパソコン１０によると、光ディスク装置２０を備えているため、ＣＳＳ暗号化コンテンツ及びその鍵情報を本発明に係る光ディスク１５に記録することが可能となる。その結果、ＣＳＳ暗号化コンテンツを再生可能な状態で記録用の本発明に係る光ディスク１５に記録することが可能となる。
【００７０】
なお、上記実施形態では、光記録システムがパソコンの場合について説明したが、光記録システムが上記ＣＳＳ暗号化コンテンツの記録処理と同様な処理を行うＤＶＤレコーダであっても良い。
【産業上の利用可能性】
【００７１】
以上説明したように、本発明の光記録媒体によれば、ＣＳＳ暗号化コンテンツを再生可能な状態で記録するのに適している。また、本発明の光記録装置及び光記録システムによれば、ＣＳＳ暗号化コンテンツを再生可能な状態で本発明の光記録媒体に記録するのに適している。また、本発明の判別方法によれば、光記録媒体がＣＳＳ暗号化コンテンツの記録に対応しているか否かを容易に判別するのに適している。
【図面の簡単な説明】
【００７２】
【図１】本発明の一実施形態に係る光ディスクの構成を説明するための断面図である。
【図２】図１の光ディスクにおけるトラックを説明するための図である。
【図３】図１の光ディスクにおけるトラックの蛇行を説明するための図である。
【図４】情報フレームを説明するための図である。
【図５】図５（Ａ）及び図５（Ｂ）は、それぞれＡＤＩＰ情報部の蛇行形状を説明するための波形図である。
【図６】図６（Ａ）及び図６（Ｂ）は、それぞれ同期情報部の蛇行形状を説明するための波形図である。
【図７】ＡＤＩＰワードを説明するための図である。
【図８】物理フォーマット情報を説明するための図である。
【図９】本発明の一実施形態に係る光記録システムとしてのパソコンの構成を示すブロック図である。
【図１０】図９における光ディスク装置の構成を示すブロック図である。
【図１１】図１０の光ディスク装置の動作を説明するためのフローチャートである。
【符号の説明】
【００７３】
１０…パソコン（光記録システム）、１５…光ディスク（光記録媒体）、２０…光ディスク装置（光記録装置）、２３…光ピックアップ装置（記録手段の一部）、２４…レーザ制御回路（記録手段の一部）、２５…エンコーダ（記録手段の一部）、４０…ＣＰＵ（判断手段）、９２…主制御装置（処理装置）。
【図１】
2008065874.tif 000003
【図２】
2008065874.tif 000004
【図３】
2008065874.tif 000005
【図４】
2008065874.tif 000006
【図５】
2008065874.tif 000007
【図６】
2008065874.tif 000008
【図７】
2008065874.tif 000009
【図８】
2008065874.tif 000010
【図９】
2008065874.tif 000011
【図１０】
2008065874.tif 000012
【図１１】
2008065874.tif 000013